(57)【特許請求の範囲】
【請求項１】
パチンコ球を貯留する皿部を有する球受皿本体と、前記球受皿本体に設けられた操作部材を押すことにより回動支軸を中心として回動し、開閉部材を球抜き孔を開放する位置又は閉止する位置に移動させるレバー部材と、該レバー部材を球抜き孔を閉止する位置に付勢する付勢部材とからなり、
前記回動支軸に挿通するレバー部材の軸通孔を回動支軸の直径より大きく形成して該レバー部材を回動支軸と軸通孔との間の隙間の範囲内で移動自在なように設けると共に、球受皿本体又はレバー部材のいずれか一方に係合部を、他方には係合突起を設け、前記付勢部材によりレバー部材を上方へ移動させて係合部と係合突起とを係合させることにより開閉部材を球抜き孔を開放する位置に保持するようにしたことを特徴とするパチンコ機における球受皿の球抜き装置。
【発明の詳細な説明】
【０００１】
【発明の属する技術分野】
本発明は、パチンコ機の前面に取着される球受皿の球抜き装置に関し、特に球抜き孔を開放状態に保持し得るようにしたパチンコ機における球受皿の球抜き装置に関するものである。
【０００２】
【従来の技術】
従来、球受皿の球抜き孔を開放状態に保持し得るようにしたパチンコ機における球受皿の球抜き装置として、例えば特公平３−５３９５４号公報のものが知られている。
【０００３】
この従来の球受皿の球抜き装置は、球受皿の球抜き孔を開閉する摺動体と、球受皿の係合部に係脱自在なように設けられた係止部材と、係合部と係止部材との係合を外す押圧部材とを備え、係止部材を係合部に係合させることにより摺動体を球抜き孔を開放する位置に拘束すると共に、押圧部材を押圧操作して係合部と係止部材との係合を解除することにより摺動体を球抜き孔を閉止する位置に移動させるようになっていた。
【０００４】
【発明が解決しようとする課題】
上記した従来のパチンコ機における球受皿の球抜き装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜き孔を開放状態に保持し得るようにしたパチンコ機における球受皿の球抜き装置を提供することにある。
【０００６】
【課題を解決するための手段】
上記目的を達成するために、本発明のパチンコ機における球受皿の球抜き装置は、パチンコ球を貯留する皿部を有する球受皿本体と、前記球受皿本体に設けられた操作部材を押すことにより回動支軸を中心として回動し、開閉部材を球抜き孔を開放する位置又は閉止する位置に移動させるレバー部材と、該レバー部材を球抜き孔を閉止する位置に付勢する付勢部材とからなり、前記回動支軸に挿通するレバー部材の軸通孔を回動支軸の直径より大きく形成して該レバー部材を回動支軸と軸通孔との間の隙間の範囲内で軸方向に移動自在なように設けると共に、球受皿本体又はレバー部材のいずれか一方に係合部を、他方には係合突起を設け、前記付勢部材によりレバー部材を上方へ移動させて係合部と係合突起とを係合させることにより開閉部材を球抜き孔を開放する位置に保持するようにしたものである。
【０００７】
上記のように構成されたパチンコ機における球受皿の球抜き装置は、操作部材を指で押すとレバー部材が付勢部材の付勢に抗して回動し、開閉部材を球抜き孔を開放する方向に移動させる。一方、レバー部材は、付勢部材により回動支軸と軸通孔との間の隙間によって上方へ移動しようとする作用力が働く。そして、開閉部材が球抜き孔を開放する位置まで移動するとレバー部材の上方への移動により係合部と係合突起とが係合し、レバー部材を球抜き孔を開放する位置に保持する。また、この状態で操作部材を指で押してレバー部材を押し下げると係合部と係合突起との係合が外れ、これによりレバー部材が付勢部材の付勢により元の位置に回動して球抜き孔を閉止する。
【０００８】
なお、本発明のパチンコ機における球受皿の球抜き装置は、パチンコ機の前面枠の前面に設けられる打球供給用球受皿又は打球供給用球受皿の余剰球を貯留する下部球受皿のいずれにも適用可能である。
【０００９】
【発明の実施の形態】
次に、図面を参照して本発明の実施の形態について説明する。図１はパチンコ機の正面図であり、１はパチンコ機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２ないし図４を参照して上部球受皿７の構成について説明する。上部球受皿７は、前面板４の前面に取付ける飾りベース９と、パチンコ球を貯留する皿部１０を有する球受皿本体１０ａと、該球受皿本体１０ａの前面を覆う装飾カバー１１とを一体に組付けて構成されている。前記皿部１０は、飾りベース９に開設した景品球排出口１２が臨む一端から他側端に向かって底面が緩るやかに下り傾斜すると共に、その下流側に誘導側壁１３を介して段状に高くした球圧受部１４と、該球圧受部１４の誘導側壁１３によって順次幅狭に形成されパチンコ球を一列に整列して流下させる整流通路１５が形成されている。この整流通路１５の終端には流路変更用ガイド１６と整流通路１５を流下するパチンコ球が上下に積み重なるのを防ぐ球均し板１７が設けられており、整流通路１５のパチンコ球を流路変更用ガイド１６により飾りベース９の供給口１８から前面板４の裏面側に流出させて図示しない打球供給装置に導くようになっている。また前記整流通路１５の終端底面には球抜き孔１９が開設されており、該球抜き孔１９の下方に下部球受皿８と連通する球抜通路２０が設けられている。
【００１１】
次に、図４ないし図６を参照して球抜き孔１９を開閉する機構について説明する。前記球抜き孔１９には開閉部材２１が横方向へスライド自在に設けられている。この開閉部材２１には球抜き孔１９を開閉する平板状のシャッター部２１ａと係合ピン２１ｂが設けられている。また球抜き孔１９の前部位置には操作部材２２とレバー部材２３がそれぞれ設けられている。
【００１２】
操作部材２２は、長さのほぼ中間が支軸２４により上下方向へ回動自在に軸支されており、その上面部分は山形状に形成されて回動により上面壁１０ａの開口２５から外方へ交互に突出する押圧部２６ａ，２６ｂが形成されている。また、支軸２４より下方に係合溝部２７が形成されている。
【００１３】
前記レバー部材２３は、上端に軸通孔２８と係合片２９が形成され、下端には縦長孔３０が形成されている。このレバー部材２３は、係合片２９を操作部材２２の係合溝部２７に係合させると共に、軸通孔２８を側壁１０ｂに突設した回動支軸３１に挿通して該回動支軸３１を中心に回動自在なように支持されている。また、縦長孔３０に開閉部材２１の係合ピン２１ｂを臨ませることによりレバー部材２３を介して操作部材２２と開閉部材２１とが連動可能なようになっている。また、レバー部材２３には付勢部材としてのスプリング３２の一端が連結されている。このスプリング３２は図５における右方向、すなわちレバー部材２３を常に開閉部材２１のシャッター部２１ａが球抜き孔１９を閉止する方向に付勢するようになっている。このとき操作部材２２の一方の押圧部２６ａが上面壁１０ａの開口２５から外方へ突出されている。
【００１４】
しかして、前記レバー部材２３の長さ方向のほぼ中間位置の側面に係合突起３３が一体に設けられている。また、レバー部材２３の軸通孔２８は、回動支軸３１の直径より大きい楕円孔として形成されており、レバー部材２３が回動支軸３１と軸通孔２８との間の隙間の範囲内で移動できるようになっている。
【００１５】
一方、レバー部材２３の係合突起３３に対応する側壁１０ｂには、円弧状のガイド部３４ａと係合部３４ｂとを有する規制片３４が突設されている。この規制片３４のガイド部３４ａは、図５に示すように開閉部材２１のシャッター部２１ａが球抜き孔１９を閉止している状態において、レバー部材２３の係合突起３３の上方に位置し、かつ該レバー部材２３の回動時に係合突起３３を接触させてレバー部材２３の移動を規制するようになっている。また規制片３４の係合部３４ｂは、図６に示すように開閉部材２１のシャッター部２１ａが球抜き孔１９を開放している状態において、レバー部材２３の係合突起３３が係合し得るようになっている。
【００１６】
次に、上記した球受皿の球抜き装置の作用について図５及び図６を参照して説明すると、まず、図５実線で示すように開閉部材２１のシャッター部２１ａが球抜き孔１９を閉止している状態において、操作部材２２の一方の押圧部材２６ａを指で押すと、該操作部材２２が図５鎖線のように支軸２４を支点として時計廻り方向に回動し、これの係合溝部２７でレバー部材２３の係合片２９を上方へ押し上げる。これによって、レバー部材２３がスプリング３２の付勢に抗して回動支軸３１を中心に時計方向に回動し、開閉部材２１を左方向に摺動させて球抜き孔１９を開放する方向に移動させる。このとき、レバー部材２３はスプリング３２の付勢により回動支軸３１と軸通孔２８との間の隙間によって上方に移動しようとするが規制片３４のガイド部３４ａに接触してその上方への移動が規制される。
【００１７】
一方、図６実線で示すように開閉部材２１のシャッター部２１ａが球抜き孔１９を開放する位置まで移動するとレバー部材２３の係合突起３３が規制片３４のガイド部３４ａから外れ、同時にレバー部材２３がスプリング３２の付勢により上方に移動して係合突起３３が規制片３４の係合部３４ｂに係合し、該レバー部材２３をその回動位置に保持する。このため、押圧部２６ａから指を離しても開閉部材２１は球抜き孔１９を開放した状態に保持されることになり、皿部１０のパチンコ球は球抜き孔１９から球抜き通路２０を通過して下部球受皿８に流出する。
【００１８】
次に、球抜き孔１９を閉止するには、操作部材２２の他方の操作部２６ｂを指で押すと、操作部材２２が図６鎖線のように支軸２４を支点として反時計廻り方向に回動し、これの係合溝部２７でレバー部材２３の係合片２９を押し下げる。これによって、レバー部材２３が回動支軸３１と軸通孔２８との間の隙間によって下方に押し下げられて係合突起３３が規制片３４の係合部３４ｂから外れる。このため、レバー部材２３はスプリング３２の付勢により回動支軸３１を中心に反時計廻り方向に回動し、開閉部材２１が図５実線に示す元の位置に戻されてシャッター部２１ａにより球抜き孔１９が閉止される。
【００１９】
なお、上記した実施の形態では、レバー部材２３の軸通孔２８を楕円孔として示したが、回動支軸３１より大径の円孔であってもよい。また、レバー部材２３に係合突起３３を設け、該係合突起３３に対応する側壁１０ｂにガイド部３４ａと係合部３４ｂとを有する規制片３４を設けたものを示したが、図７に示すようにレバー部材２３に規制片３４を設け、側壁１０ｂに係合突起３３を設けるようにしてもよい。この場合、係合突起３３の下面がガイド部３４ａの用を果すことになる。
【００２０】
図８ないし図１０に示す第２実施の形態は、操作部材２２ａの下面に突起部３５と突段部３６とを設け、図９鎖線で示すように操作部材２２ａの突起部３５でレバー部材２３の係合片２９を押し下げて該レバー部材２３ａを回動させることにより開閉部材２１を図１０実線で示すように球抜き孔１９を開放する位置に移動させるようにしたものである。そして図１０鎖線で示すように操作部材２２ａの突段部３６をレバー部材２３ａの上端３７に接触させることにより該レバー部材２３ａを押し下げて係合突起３３と規制片３４の係合部３４ｂとの係合を外すようになっている。
【００２１】
また、図１１及び図１２に示す第３実施の形態は、操作部材２２ｂにＬ字形に屈曲する腕部３８を設けると共に、レバー部材２３ｂに側片３９を設け、図１２鎖線で示すように腕部３８でレバー部材２３ｂの側片３９を押して該レバー部材２３ｂを回動させることにより開閉部材２１を球抜き孔１９を開放する位置に移動させるようにしたものである。その他の構成は第２実施の形態と同じである。
【００２２】
【発明の効果】
以上、説明したところから明らかなように、本発明においては、操作部材を指で押すだけの簡単な操作で開閉部材を球抜き孔を開放する位置に保持し、又はその保持を解除して球抜き孔を閉止することができるので、球受皿に貯留されるパチンコ球の球抜き操作を極めて容易に行うことができる。
【００２３】
また、構造が簡単で部品点数が少なくて済み、コストダウンを図ることができる。
【図面の簡単な説明】
【図１】本発明が適用されるパチンコ機の正面図である。
【図２】本発明に係る球抜き装置が組込まれた上部球受皿の斜視図である。
【図３】図２の上部球受皿の分解斜視図である。
【図４】図２の上部球受皿の要部斜視図である。
【図５】球抜き孔を閉止した状態の要部正面図である。
【図６】球抜き孔を開放した状態の要部正面図である。
【図７】他の実施の形態の要部正面図である。
【図８】他の実施の形態の要部分解斜視図である。
【図９】図８の実施の形態の球抜き孔を閉止した状態の要部正面図である。
【図１０】図８の実施の形態の球抜き孔を開放した状態の要部正面図である。
【図１１】他の実施の形態の要部分解斜視図である。
【図１２】図１１の実施の形態の作用を説明する要部正面図である。
【符号の説明】
１０      皿部
１０ａ    球受皿本体
１９      球抜き孔
２１      開閉部材
２２      操作部材
２３      レバー部材
２８      軸通孔
３１      回動支軸
３２      スプリング（付勢部材）
３３      係合突起
３４ｂ    係合部
【図１】
0004130853.tif 000002
【図２】
0004130853.tif 000003
【図３】
0004130853.tif 000004
【図４】
0004130853.tif 000005
【図５】
0004130853.tif 000006
【図６】
0004130853.tif 000007
【図７】
0004130853.tif 000008
【図８】
0004130853.tif 000009
【図９】
0004130853.tif 000010
【図１０】
0004130853.tif 000011
【図１１】
0004130853.tif 000012
【図１２】
0004130853.tif 000013